(57)【特許請求の範囲】
【請求項１】
原稿載置部上の原稿を所定の画像読取位置を通過するように搬送する原稿搬送装置において、
装置本体に対して固定されたガイド部材によって形成される、画像読取位置通過後の原稿を搬送するための読取後搬送経路と、
該読取後搬送経路内の原稿を搬送する搬送ローラ対と、
装置本体に対して開閉可能に構成される開閉部材と、
該開閉部材の開閉動作に連動して該搬送ローラ対の圧接を解除する圧接解除手段と、
該搬送ローラ対の圧接解除状態を検出する圧接解除検出手段と、
該圧接解除検出手段の検出結果を報知する報知手段とを備え、
上記圧接解除手段は、上記開閉部材に固設された係合部材と係合可能な被係合部材を有する回動可能なレバー部材であり、
上記圧接解除検出手段は、該レバー部材の回動位置により上記搬送ローラ対の圧接解除状態を検出することを特徴とする原稿搬送装置。
【請求項２】
請求項１の原稿搬送装置において、
上記開閉部材の開閉動作に伴う上記係合部材の所定の移動軌跡内では該係合部材と上記被係合部材とが係合し、該係合部材の所定の移動軌跡外では該係合部材と該被係合部材とが離間することを特徴とする原稿搬送装置。
【請求項３】
請求項１又は２の原稿搬送装置において、
上記被係合部材は、上記レバー部材の回転平面に対して鉛直方向にスライド可能な状態で突出し、且つ該鉛直方向を軸方向として回動可能な円筒状突出部材であり、
上記係合部材が該被係合部材に対して上方から下方に向かうために接触したとき、該被係合部材は回動しながらスライドして該係合部材から待避することを特徴とする原稿搬送装置。
【請求項４】
請求項１、２、又は３の原稿搬送装置において、
上記レバー部材は、一端に設けられたカム部が上記搬送ローラ対の一方のローラ軸を押圧して該搬送ローラ対の圧接を解除するとともに、該カム部に設けられた凹部に一方のローラ軸を嵌めて圧接解除状態を保持することを特徴とする原稿搬送装置。
【請求項５】
記録材に画像を形成する画像形成手段と、原稿に記録された画像を読み取る画像読取手段と、該原稿を該画像読取手段による原稿読取位置に搬送する原稿搬送手段とを備え、該画像読取装置で読み取った画像を記録材に形成することで原稿を複写する画像形成装置において、
上記原稿搬送手段として、請求項１乃至４の何れかのものを用いたことを特徴とする画像形成装置。
【発明の詳細な説明】
【技術分野】
【０００１】
本発明は、原稿を一枚ずつ順次搬送する原稿搬送装置及びこれを用いた複写機、ファクシミリ等の画像形成装置に関するものである。
【背景技術】
【０００２】
一般に、複写機等の画像形成装置においては、その上部に、原稿載置台にセットされた原稿を一枚ずつ画像読取位置に搬送してその原稿情報を読み取らせた後に排紙台に排紙する自動原稿搬送装置が設けられている。このような自動原稿搬送装置においては、原稿載置台から排紙台までの間に形成されている原稿搬送路の搬送ローラ対に原稿が詰まったときに該原稿を取り除くジャム処理を行い易くするように、種々の技術が提案されている。
【０００３】
例えば、特許文献１に記載される自動原稿搬送装置は、原稿載置台の上方への回動動作に連動してカムを回転させ、原稿読み取り後の原稿搬送路に設けられた排紙ローラ対の圧接及び圧接解除を行えるようにしている。特許文献２に記載される自動原稿搬送装置は、装置本体の上部に設けられた原稿載置台とは別の上部開閉ガイド部材の開閉動作に連動して、原稿搬送路に設けられた全ての搬送ローラ対の圧接及び圧接解除を行えるようにしている。
【発明の概要】
【発明が解決しようとする課題】
【０００４】
特許文献１及び２に記載されるように、一般的な原稿搬送装置においてジャム処理を行う場合、原稿載置台から画像読取位置までの原稿搬送路に配置される搬送ローラ対の圧接状態は目視しやすい。これに対し、原稿読取後の原稿搬送路に配置されている搬送ローラ対の圧接状態は目視しづらい。原稿載置台から画像読取位置までの原稿搬送路に配置される搬送ローラ対は、原稿載置台や開閉ガイド部材の解放によって互いに大きく離間して露出する。これに対し、画像読取位置通過後の原稿搬送路に配置される搬送ローラ対は、圧接状態が解除されるが、両者が大きく離間するものではないからである。そのため、原稿搬送路に原稿が詰まるジャムが発生しても、ユーザーは読取位置通過後の原稿搬送路に設置された搬送ローラ対の圧接状態を認識しにくく、ジャム処理可能な状態であるかを認識しにくいのが実情である。
【０００５】
本発明は以上の問題点に鑑みなされたものであり、その目的はジャム処理の利便性を向上させた原稿搬送装置、及びこれを用いた画像形成装置を提供することである。
【課題を解決するための手段】
【０００６】
上記課題を解決するため、請求項１の発明は、原稿載置部上の原稿を所定の画像読取位置を通過するように搬送する原稿搬送装置において、装置本体に対して固定されたガイド部材によって形成される、画像読取位置通過後の原稿を搬送するための読取後搬送経路と、該読取後搬送経路内の原稿を搬送する搬送ローラ対と、装置本体に対して開閉可能に構成される開閉部材と、該開閉部材の開閉動作に連動して該搬送ローラ対の圧接を解除する圧接解除手段と、該搬送ローラ対の圧接解除状態を検出する圧接解除検出手段と、該圧接解除検出手段の検出結果を報知する報知手段とを備え、上記圧接解除手段は、上記開閉部材に固設された係合部材と係合可能な被係合部材を有する回動可能なレバー部材であり、上記圧接解除検出手段は、該レバー部材の回動位置により上記搬送ローラ対の圧接解除状態を検出することを特徴とするものである。
請求項２の発明は、請求項１の原稿搬送装置において、上記開閉部材の開閉動作に伴う上記係合部材の所定の移動軌跡内では該係合部材と上記被係合部材とが係合し、該係合部材の所定の移動軌跡外では該係合部材と該被係合部材とが離間することを特徴とするものである。
請求項３の発明は、請求項１又は２の原稿搬送装置において、上記被係合部材は、上記レバー部材の回転平面に対して鉛直方向にスライド可能な状態で突出し、且つ該鉛直方向を軸方向として回動可能な円筒状突出部材であり、上記係合部材が該被係合部材に対して上方から下方に向かうために接触したとき、該被係合部材は回動しながらスライドして該係合部材から待避することを特徴とするものである。
請求項４の発明は、請求項１、２、又は３の原稿搬送装置において、上記レバー部材は、一端に設けられたカム部が上記搬送ローラ対の一方のローラ軸を押圧して該搬送ローラ対の圧接を解除するとともに、該カム部に設けられた凹部に一方のローラ軸を嵌めて圧接解除状態を保持することを特徴とするものである。
請求項５の発明は、記録材に画像を形成する画像形成手段と、原稿に記録された画像を読み取る画像読取手段と、該原稿を該画像読取手段による原稿読取位置に搬送する原稿搬送手段とを備え、該画像読取装置で読み取った画像を記録材に形成することで原稿を複写する画像形成装置において、上記原稿搬送手段として、請求項１乃至４の何れかのものを用いたことを特徴とするものである。
本発明において、ユーザーは報知手段によって目視しづらい搬送ローラ対の圧接解除状態を知ることができる。よって、読取後搬送経路でジャムが発生しても、ユーザーは報知手段によってジャム処理が可能な状況であるかを認識することができ、ジャム処理の利便性が向上する。
【発明の効果】
【０００７】
本発明によれば、ジャム処理の利便性を向上させることができる原稿搬送装置、及びこれを用いた画像形成装置を提供できるという優れた効果がある。
【図面の簡単な説明】
【０００８】
【図１】本実施形態に係る複写機の概略構成を示す斜視図。
【図２】同複写機に搭載される自動原稿搬送装置の概略構成を示す構成図。
【図３】同自動原稿搬送装置のカバーと排紙ローラ対近辺の構成を示す要部斜視図。
【図４】（ａ）は閉塞状態のカバーと排紙ローラ対近辺の構成を示す要部側面図であり、（ｂ）は解放状態のカバーと排紙ローラ対近辺の構成を示す要部側面図。
【図５】カバーの爪とレバーの突起との動きを説明する要部側面図。
【図６】カバーの爪とレバーの突起との動きを説明する要部斜視図。
【図７】レバーの形状を説明するための平面図。
【発明を実施するための形態】
【０００９】
以下、本発明を適用した画像形成装置である複写機、及びこれに搭載される原稿搬送装置の実施形態について具体的に説明する。図１は、本実施形態に係る複写機の概略構成を示す斜視図である。図２は、複写機に搭載される自動原稿搬送装置の概略構成を示す構成図である。図１に示すように、本実施形態に係る複写機は、原稿を搬送する自動原稿搬送装置１００と、原稿の画像を読み取る画像読取部を備えたスキャナ１０１と、スキャナ１０１により読み取られた原稿の画像を記録媒体たる記録紙に記録する画像形成ユニット１０２を備えている。自動原稿搬送装置１００は、スキャナ１０１上に図示しない開閉機構（例えばヒンジ）を介して開閉自在に取り付けられ、スキャナ１０１は、画像形成ユニット１０２の上部に固定されている。また、この複写機は、画像形成ユニット１０２に様々なサイズの記録紙を供給するために多段に配設された給紙トレイ１０３を備えている。また、この複写機は、画像形成ユニット１０２により画像を形成された記録紙を排出する排紙トレイ１０４、ユーザーによる入力操作及びユーザーへの報知を行う報知手段たる操作部１０５等も備えている。なお、画像形成ユニット１０２の構成については、従来公知の電子写真方式、インクジェット方式等の方式を採用することができ、その詳細な説明は省略する。
【００１０】
以下、本実施形態に係る原稿搬送装置の構成について説明する。上記自動原稿搬送装置１００には、原稿が複数枚重なって束となった原稿束Ｓが差し込んでセットされる原稿積載台１、原稿積載台１に原稿束Ｓがセットされたことを検知する原稿載置センサ２が設けられている。そして、この自動原稿搬送装置１００は、セットされた原稿束Ｓを送り出すピックアップローラ３、ピックアップローラ３により送り出された原稿束Ｓを最上位から順次一枚ずつ分離して給紙するフィードローラ４と分離パッド５が設けられている。なお、本実施形態では、分離給紙手段としてフィードローラ４と分離パッド５を用いているが、分離パッドの５代わりにリバースローラ等を用いてもよい。ピックアップローラ３は、通常は原稿載置台１と所定間隔をあけて待機しており、原稿載置台１に原稿束Ｓがセットされたことを原稿載置センサ２が検知し、且つ操作部１０５で読取開始の指示がされた場合に、待機位置から下降して原稿束Ｓの最上位面に接触する位置に移動するよう制御されている。
【００１１】
フィードローラ４の原稿搬送方向下流側には、分離された一枚の原稿を後述する読取部３０に向けて搬送する第１搬送路６が設けられている。第１搬送路６は、装置本体に対して開閉可能に構成される開閉部材たるカバー７と、固定部材である上ガイド８、下ガイド９との間に形成されるものである。この第１搬送路６には、フィードローラ４から給紙された原稿を読取部３０まで搬送するプルアウトローラ対１０ａ、１０ｂや読取前ローラ対１１ａ、１１ｂを備えている。プルアウトローラ対１０ａ、１０ｂは、原稿の幅方向への傾き（スキュー）を補正したり、補正後の原稿を読取前ローラ対１１ａ、１１ｂまで搬送したりするためのローラである。また、この第１搬送路６には、読取前ローラ対１１ａ、１１ｂと読取部３０との間に、読取前ローラ対１１ａ、１１ｂにて搬送されている原稿の先端と後端を検知する読取前センサ１２が設置されている。読取前センサ１２が原稿の先端を検知すると、読取部３０において読取開始のタイミングが取られ、読取前センサ１２が原稿の後端が検知すると、読取部３０において読取終了のタイミングがとられる。なお、図中の各ローラ１０、１１は、単一の駆動源（一つのモータ）により駆動されているが、複数（２つ以上のモータ）を用いてもよい。
【００１２】
上記読取部３０の下流側には、読取部３０を通過した原稿を原稿排紙口１３に向けて搬送する第２搬送路１４が設けられている。この第２搬送路１４は、下ガイド９と排紙ガイド１５との間に形成され、原稿排紙口１３手前に排紙ローラ１６ａ、これと対向する対向コロ１６ｂを備えている。第２搬送路１４の排紙ローラ対１６ａ、１６ｂの下流側には、原稿排紙口１３から排紙された原稿をスタックする排紙トレイ１７が設けられている。また、第２搬送路１４の排紙ローラ対１６ａ、１６ｂの下流側には、第２搬送路１４によって搬送された原稿をスイッチバックさせて、原稿後端から再び第１搬送路６に向けて搬送する第３搬送路１８が設けられている。この第３搬送路１８は、原稿載置台１の下部と、上ガイド８と、排紙トレイ１７の上方に設けられた分岐爪１９との間に形成されるものであり、その搬送路に反転ローラ対２０ａ、２０ｂを備えている。分岐爪１９は、第２搬送路１４によって搬送された原稿の搬送先を排紙トレイ１７又は第３搬送路１８に切り換えるように、揺動可能に支持されている。反転ローラ対２０ａ、２０ｂは、単独で正転と逆転を切り替えるための駆動手段を有しており、正転により原稿排紙口１３から排紙された原稿を第３搬送路１８に導入し、その後逆転して第３搬送路１８内の原稿を第４搬送路２１に搬送する。分岐爪１９は、図中点線位置に切り替わることにより原稿排紙口１３から排紙された原稿を第３搬送路１８へ導き、原稿が第３搬送路１８に導入されると、実線位置に切り替わることにより第３搬送路１８でスイッチバックされた原稿を後端から第４搬送路２１に導く。第４搬送路２１は、上ガイド８と下ガイド９の間に形成されるものであり、第３搬送路１８によってスイッチバックされた原稿を第１搬送路６に合流させる。
【００１３】
上記スキャナ１０１は、原稿の画像を読み取るための画像読取位置となる読取部３０を有している。読取部３０は、光源、反射ミラー、ＣＣＤ等の画像読取センサなどを有し、搬送される原稿に接触するようにスキャナ１０１のケーシング上壁に固定された図示しないコンタクトガラスの直下に配設されている。そして、自動原稿搬送装置１００によって搬送される原稿が読取部３０を通過する際に、読取部３０は光源から発した光を原稿面で順次反射させながら、複数の反射ミラーを経由させて画像読取センサで受光する。これにより、読取部３０は光源や反射ミラー等からなる光学系を移動させることなく、原稿を走査する。
【００１４】
次に、原稿載置台に載置された原稿が排紙トレイに排出されるまでの原稿搬送装置の動作について説明する。
（片面モード）
原稿載置台１に載置された原稿束Ｓの片面のみの複写を行う片面モードが設定された場合について説明する。片面モードが設定された状態で操作部１０５に設けられたスタートキーが押下されたとき、原稿載置センサ２からの検知信号により原稿載置台１上に原稿束Ｓがセットされているか否かがチェックされる。なお、原稿束Ｓは、読み取りを行う画像面が原稿載置台１上で上向きとなるように積載されている。原稿載置センサ２により原稿セットが検知されると、モータが正回転し、ピックアップローラ３が下降し原稿束Ｓに押圧されるとともに図中時計方向に回転し原稿を送りだす。ピックアップローラ３により第１搬送路６に送りだされた原稿は、フィードローラ４と分離パッド５にて順次一枚ずつ分離される。次いで、原稿の先端が読取前センサ１２に検知されると、読取部３０において読取開始タイミングがとられ、原稿の先端にあわせて読取が開始される。また、センサ１２により原稿の後端が検知されると、読取部３０において読取終了のタイミングがとられ、原稿の後端にあわせて読取が終了される。
【００１５】
読取部３０通過後の原稿は第２搬送路１４を搬送されて、排紙ローラ対１６ａ、１６ｂより原稿排紙口１３から排紙トレイ１７に排紙されて、画像面を下に積載されていく。以下、原稿載置センサ２が原稿を検知しなくなるまで上述の動作を繰り返し行うことにより、原稿載置台１の原稿束Ｓについての片面原稿処理が終了する。なお、片面モードの時は分岐爪１９が常に図中実線位置にある。各ローラを駆動する各モータは常に駆動されているが、プルアウトローラ対１０ａ、１０ｂの線速をフィードローラ４の線速に対して早く設定することで紙間を形成する。原稿束Ｓの読取が終了すると、モータが逆転しピックアップローラ３が上昇して待機位置に移動する。
【００１６】
（両面モード）
原稿載置台１に載置された原稿束Ｓの両面の複写を行う両面モードが設定された場合について説明する。なお、原稿載置台１に載置された原稿束Ｓの上向きの面を表面といい、下向きの面を裏面という。両面モードが設定された状態で操作部１０５に設けられたスタートキーが押下されたとき、原稿載置センサ２からの検知信号により原稿載置台１上に原稿束Ｓがセットされているか否かがチェックされる。原稿載置センサ２により原稿セットが検知されると、モータが正回転し、ピックアップローラ３が下降し原稿束Ｓに押圧されるとともにピックアップローラ３が図中時計方向に回転し原稿を送りだす。ピックアップローラ３により第１搬送路６に送りだされた原稿は、フィードローラ４と分離パッド５にて順次一枚ずつ分離される。
【００１７】
次いで、原稿の先端が読取前センサ１２に検知されると、読取部３０において読取開始のタイミングがとられ、原稿の先端にあわせて原稿表面の読取が開始される。また、原稿の先端がセンサ１２で検知されると、分岐爪１９は図中点線位置に移動し、反転ローラ２０ａ、２０ｂは正転方向（図中時計回り方向）に回転する。さらに原稿の先端がセンサ２３で検知されると、ピックアップローラ３及びフィードローラ４は、クラッチなどにより駆動が解除され、次原稿を給紙せずに待機しておく。そして、原稿の後端が読取前センサ１２により検知されると、読取終了のタイミングがとられ、原稿の後端にあわせて読取が終了される。その後、原稿は排紙口１３から図中点線位置にある分岐爪１９上の第３搬送路１８に搬送される。読取前センサ１２からある時間Ｔ後（原稿後端が排紙口１３を完全に抜けるだけの時間を経過した後）に、分岐爪１９は図中点線位置から実線位置に切り替わり、反転ローラ２０ａは逆転方向（図中反時計回り方向）に回転し、原稿を第４搬送路２１へ導く。
【００１８】
次いで、第４搬送路２１に進入した原稿は第１搬送路６へ送り込まれる。そして原稿の先端がセンサ１２に検知されると、表面の読み取りと同様に、原稿の裏面の読取動作が行われる。また読取前センサ１２が原稿の先端を検出すると、再び分岐爪１９は図中実線位置から点線位置に移動し、反転ローラ２０ａは正転方向に回転させる。この時、読取前ローラ１１ａと反転ローラ２０ａは相反する方向へ回転しているが、反転ローラ２０ａ軸上にトルクリミッタを設けることにより、読取前ローラ１１ａに従うようになっている。裏面の読取動作が終了した原稿は、再び第２搬送路１４及び第３搬送路１８に搬送されてスイッチバックされ、第４搬送路１９から第１搬送路６へ送り込まれるが、このとき読取動作は行わない。またセンサ１２により原稿の先端が検知されても、分岐爪１９は実線位置の状態のまますることで、原稿は表面を下向きにして排紙トレイ１７に排紙される。原稿後端の３回目の通過がセンサ１２によって検知された時点で、原稿載置センサ２が原稿を検知していたとき、次原稿の給紙動作が行われる。以下、原稿載置センサ２が原稿を検知しなくなるまで上述の動作を繰り返し行うことにより、原稿載置台１の原稿束Ｓについての両面原稿処理が終了する。
【００１９】
なお、本実施形態に係る複写機においては、原稿束の片隅を綴じた本などの片綴じ原稿の場合には、原稿を１枚ずつ分離することができないため、上述したような原稿搬送装置１００による搬送を行うことができない。そこで、片綴じ原稿の場合には、原稿搬送装置１００を開いて、読み取らせたいページが見開かれた片綴じ原稿を下向きにしてスキャナ１０１の上部の図示しないコンタクトガラス上に載せ、その後に原稿搬送装置１００を閉じる。そして、スキャナ１０１に設けられる、光源や反射ミラーなどからなる光学系を図中左右方向に移動させることができる図示しない移動読取部によってそのページの画像を読み取らせることも可能となっている。
【００２０】
次に、本実施形態に係る自動原稿搬送装置１００において、カバー７の開閉動作に伴う排紙ローラ対１６ａ、１６ｂの圧接及び圧接解除について説明する。図３はカバーと排紙ローラ対近辺の構成を示す要部斜視図である。図４（ａ）は閉塞状態のカバーと排紙ローラ対近辺の構成を示す要部側面図であり、（ｂ）は解放状態のカバーと排紙ローラ対近辺の構成を示す要部側面図である。図５は、カバーの爪とレバーの突起との動きを説明する要部側面図である。図６は、カバーの爪とレバーの突起との動きを説明する要部斜視図である。図６中、突起の動きがわかりやすいようにレバーは図示していない。図７は、レバーの形状を説明するための平面図である。
【００２１】
図３に示すように、自動原稿搬送装置１００の排紙ローラ１６ａには、対向コロ１６ｂに軸装される軸２２がスプリング２３によって付勢されることにより対向コロ１６ｂが圧接している。なお、本実施形態では、コイルスプリング２３を用いているが、板バネ等の弾性部材であってもよい。また、この自動原稿搬送装置は、この排紙ローラ１６ａと対向コロ１６ｂとの圧接状態を解除する圧接解除手段たるレバー２４を備えている。このレバー２４は、中央部に設けられた軸２４ａが図示しない装置本体の側壁に軸装されて回動可能に構成される。レバー２４の一端はカム形状に形成されたカム部となっており、対向コロ１６ｂの軸２２に当接している。レバー２４のもう一方の他端には、図３乃至図５に示すように、嵌合穴に被係合部材たる円筒状の突起２５が嵌合している。このレバー２４の他端に嵌合する突起２５は、図５に示すように、レバー２４の回転平面に対して鉛直方向（図中Ｃ方向）にスライド可能な状態で突出し、且つ鉛直（スライド）方向を軸方向として回動可能な状態である。一方、カバー７には、このレバー２４に設けられた突起２５と係合可能な略楔形状の爪２６が設けられ、後述するように軸７ａを支点とするカバー７の開閉動作に連動してレバー２４が回動可能な構成となっている。また、このレバー２４には、外周面から延び、レバー２４の回動位置の指標となる被検知部２７が設けられている。自動原稿搬送装置１００は、この被検知部２７の有無によりレバー２４の回動位置を検出し、排紙ローラ１６ａと対向コロ１６ｂとの圧接解除状態を検出する圧接解除検出手段たるセンサ２８を備えている。
【００２２】
上記構成の自動原稿搬送装置１００において、カバー７が閉塞状態にある場合には、図４（ａ）に示すように、レバー２４の一端のカム部において軸２４ａから円周までの距離が短い部分が対向コロ１６ｂの軸２２に当接している。これにより、対向コロ１６ｂはバネ２３により付勢され、所定のニップ圧で排紙ローラ１６ａに圧接している。また、図４（ａ）に示すように、カバー７の閉塞状態では、レバー２４の被検知部２７がセンサ２８により検知されていない位置にあり、センサ２８は、排紙ローラ１６ａと対向コロ１６ｂとの圧接状態が解除されていないことを検知する（オフ）。カバー７の閉塞状態では、カバー７の爪２６の先端部がレバー２４の他端に設けられた突起２５の下方に位置している。なお、本実施形態では、対向コロ１６ｂの軸２２に圧を与えているバネ２３が装置本体の固定部材に取り付けられ、後述するジャム処理時にバネを押して対向コロ１６ｂを離間させる方式である。本実施形態では、開閉ガイドの閉塞状態（押さえつけ）によってバネを押して排紙ローラに圧をかける方式に比べ、排紙ローラにかける圧を安定させやすい。
【００２３】
上記構成の自動原稿搬送装置１００において、第１搬送路６〜第４搬送路２１で紙が詰まるジャムが発生した場合には、ジャム処理を行うために、カバー７を解放する。カバー７を開くと、プルアウトローラ対１０ａ、１０ｂや読取前ローラ対１１ａ、１１ｂは互いに大きく離間して露出する。一方、排紙ローラ１６ａと対向コロ１６ｂは、カバー７の解放動作に連動して圧接状態が解除される。本実施形態では、カバー７の解放動作によりジャム処理を行うので、原稿載置台に原稿束Ｓが残っていてもジャム処理を行うことができる。
【００２４】
以下、排紙ローラ対１６ａ、１６ｂの圧接解除の動作について具体的に説明する。カバー７を軸７ａを支点として図４中矢印Ａ方向に動かして解放しようとすると、カバー７の閉塞状態ではカバー７の爪２６がレバー２４の突起２５に引っかかっているため、その動きに連動してレバー２４が図中Ｂ方向に回動する。レバー２４が回転すると、図４（ｂ）に示すように、レバー２４の一端のカム部において、対向コロ１６ｂの軸２２に当接する円周部分の回転軸からの距離が大きくなり、対向コロ１６ｂの軸２２が押し下げられ、排紙ローラ１６ａと対向コロ１６ｂとの圧接が解除される。また同時に、センサ２８はレバー２４の被検知部２７を検出し（オン）、排紙ローラ１６ａと対向コロ１６ｂとの圧接が解除されたことを操作部１０５に表示させる。
【００２５】
また、図６に示すように、カバー７を矢印Ａ方向に解放するとき、突起２５はスライド方向を軸方向として図中矢印Ｅ方向に回動しながら回動するようになっている。これにより、レバー２４の回動に伴う突起２５と爪２６との摩擦を低減し、カバー７の開閉動作に伴う操作力を低減させることができる。
【００２６】
また、図４（ｂ）に示す状態からさらにカバー７を解放すると、カバー７に設けられた爪２６とレバー２４に設けられた突起２５の回動軌跡の違いにより、カバー７の爪２６が突起２５から自然に外れる。これにより、レバー２４の可動範囲に関わらず、カバー７をジャム処理時に大きく解放することができ、ジャム処理を行いやすくすることができる。
【００２７】
また、図７に示すように、レバー２４の一端のカム部には、対向コロ１６ｂの軸２２が係合するべく凹部２４ｂが形成されている。カバー７の解放動作に連動してレバー２４が回動し、レバー２４のカム部が対向コロ２６ｂの軸２２を押し下げるが、押し下げた対向コロ１６ｂの軸２２がこの凹部２４ｂにはまることで、レバー２４の回転が止まり、排紙ローラ１６ａと対向コロ１６ｂとの圧接解除状態を保持できるようになっている。
【００２８】
一方、ジャム処理を終えてカバー７を閉じる場合には、図５に示すように、カバー７の閉動作により所定の位置でカバー７に設けられた爪２６が図中Ｄ方向に押し下げられ、レバー２４の突起２５に当接する。さらに爪２６から突起２５に図中Ｄ方向への力が加わることにより、突起２５は図中Ｃ方向に点線で示す位置までスライドする。そして、爪２６が突起２５の上方から突起２５の下方にある元の位置関係へ戻ることになる。爪２６が突起２５に対して下方にある元の位置関係へ戻った後は、図示しない弾性部によってスライドした突起２５はスライドする前の位置に戻る。これにより、レバー２４の回動に伴う突起２５と爪２６との摩擦を低減し、カバー７の開閉動作に伴う操作力を低減させることができる。
【００２９】
以上、本実施形態に係る自動原稿搬送装置によれば、搬送ローラ対である排紙ローラ対１６ａ、１６ｂの圧接解除状態が報知手段である操作部１０５に表示される。よって、読取後搬送経路でジャムが発生した場合、ユーザーは、報知手段によってジャム処理可能な状態であるかを確実に認識することができ、ジャム処理の利便性を向上する。
また、本実施形態に係る自動原稿搬送装置によれば、開閉部材たるガイド７に固設された係合部材たる爪２６と係合可能な突起２５を有するレバー２４により排紙ローラ対１６ａ、１６ｂの圧接状態を解除することができる。そして、このレバー２４に設けられた被検知部２７の回動位置により排紙ローラ対１６ａ、１６ｂの圧接解除を検出することができる。
また、本実施形態に係る自動原稿搬送装置によれば、ガイド７の爪２６の所定の回転軌跡内では、爪２６と突起２５とが係合しているため、ガイド７の開閉動作に伴ってレバー２４が回動し、排紙ローラ対１６ａ、１６ｂの圧接状態を解除することができる。一方、ガイド７の爪２６の所定の回転軌跡外では、爪２６と突起２５とが離間するため、ガイド７をレバー２４の可動範囲に関わらず、大きく解放することができる。
また、本実施形態に係る自動原稿搬送装置によれば、レバー２４の突起２５は、レバー２４の回転平面に対して鉛直方向にスライド可能で、且つ該鉛直方向を軸方向として回動可能な円筒状突出部材である。そして、カバー７の開閉動作に伴って、爪２６が突起２５に対して上方から下方に向かうときは、突起２５は回動しながらスライドして爪２６から待避する。そのため、爪２６と突起２５の摩擦が低減され、カバー７の操作力が低減される。
また、本実施形態に係る自動原稿搬送装置によれば、レバー２４のカム部が対向コロ１６ｂのローラ軸２２を押圧するとともに、カム部に設けられた凹部２４ｂにローラ軸２２を嵌めて圧接解除状態を保持する。これにより、排紙ローラ対１６ａ、１６ｂの圧接解除を確実に行うことができる。
また、本実施形態に係る複写機によれば、上述した自動原稿搬送装置１００を用いることによりジャム処理の利便性が向上し、作業効率が向上する。
【符号の説明】
【００３０】
１  原稿載置台
２  原稿載置センサ
３  ピックアップローラ
４  フィードローラ
５  分離パッド
６  第１搬送路
７  カバー
８  上ガイド
９  下ガイド
１０  プルアウトローラ
１１  読取前ローラ
１２  読取前センサ
１３  原稿排紙口
１４  第２搬送路
１５  排紙ガイド
１６  排紙ローラ
１７  排紙トレイ
１８  第３搬送路
１９  分岐爪
２０  反転ローラ
２１  第４搬送路
２２  軸
２３  スプリング
２４  レバー
２５  突起
２６  爪
２７  被検知部
２８  センサ
３０  読取部
１００  自動原稿搬送装置
１０１  スキャナ
１０５  操作部
【先行技術文献】
【特許文献】
【００３１】
【特許文献１】特開２００２−２２０１４６号公報
【特許文献２】特開平９−８６７２２号公報
【図１】
0005455025.tif 000002
【図２】
0005455025.tif 000003
【図３】
0005455025.tif 000004
【図４】
0005455025.tif 000005
【図５】
0005455025.tif 000006
【図６】
0005455025.tif 000007
【図７】
0005455025.tif 000008